(57)【要約】 【課題】    本発明は、投げることによって生ずる着地後の転がりの不規則性・不確実性を楽しむことができる投擲遊具を提供することを課題とするものである。【解決手段】  外殻形状をおにぎり、若しくは栗の実態様の三角形状に構成し、三角形状頂部の反対側に位置する底部に把手挿入用の底口を開口形成し、外殻形状の正面視を、三角形状頂部より左右両側の肩部を緩傾斜状の撫で肩状に形成した二等辺三角形状に構成し、外殻形状の側面視を、三角形状頂部より前後の腹部と背部を急傾斜状の崖面状に形成した二等辺三角形状に構成したもので、その構造上転がりの不規則性・不確実性を最大の特徴とする投擲具である。【選択図】    図１ 
2005218627.tif 000002
【特許請求の範囲】
【請求項１】
外殻形状をおにぎり、若しくは栗の実態様の三角形状に構成し、三角形状頂部の反対側に位置する底部に把手挿入用の底口を開口形成したことを特徴とする投擲具。
【請求項２】
外殻形状の正面視を、三角形状頂部より左右両側の肩部を緩傾斜状の撫で肩状に形成した二等辺三角形状に構成し、外殻形状の側面視を、三角形状頂部より前後の腹部と背部を急傾斜状の崖面状に形成した二等辺三角形状に構成したことを特徴とする請求項１に記載の投擲具。
【請求項３】
左右両側の肩部と前後の腹部と背部の間にそれ等の挟間面となる斜面、及び底部とそれ等の間に、平坦状の崖面及び扁平面をそれぞれに形成すると共に、これらの左右両側の肩部と前後の腹部と背部又それ等の挟間面となる斜面又底部とそれ等の挟間面となる崖面及び扁平面が交差する稜線部分を曲面形成したことを特徴とする請求項１若しくは請求項２に記載の投擲具。
【請求項４】
内部を空洞にしたことを特徴とする請求項１若しくは請求項２、３記載の投擲具。
【請求項５】
プラスチック等の合成樹脂で形成したことを特徴とする請求項１若しくは請求項２、３、４記載の投擲具。
【請求項６】
二重壁構成の空間を有する外殻形状に構成されている本投擲具の弾力性を追及した請求項１若しくは請求項２、３、４、５記載の投擲具。
【発明の詳細な説明】
【技術分野】
【０００１】
本発明は三角状に形成された外殻の各部に多数の肩、腹、背、頂部、底部、崖面、扁平面、斜面を形成し、それを投げることによって生ずる転がりの不規則性の創出を目指した投擲具であり、且つ底口と呼ぶ把手挿入口を開口形成して設け、つかみ易く投げ易くし、前記肩、腹、背、頂部、底部、崖面、扁平面、斜面を形成したことにより転がる方向が、最低４方向最高１２方向の多様性を持つネグログチ態様の、従来の単純な球形ボ−ルの転がり方と違う転がり方を持つ投擲遊具に関するものである。
【背景技術】
【０００２】
上記投擲遊具に関するものとしては、例えば特許文献１に示されるように、四面体お手玉を用いた投擲競技が提案されているが、４面体に形成しただけのものであり、転がり具合の点は全く意図されず期待されていないものと認められ、形状に関係なく単なる投げるだけのものがあるだけであった。これは、その形状を特徴とする投擲用とは別のリハビリテーション等の目的に資する用途があり、それが主眼とされるものであった。
【特許文献１】特開平１０−２４４０２９公報
【発明の開示】
【発明が解決しようとする課題】
【０００３】
特許文献１のように、外面の形に特徴を持たせたものであっても、それを他の目的に使用するのではなく、外殻形状の特徴を生かしたこの投擲具の転がりの不規則性に競技の焦点を当て、それから生まれる競技者・競技観戦者の期待性の創出を解決課題とするものである。
【０００４】
尚、背景技術として特許文献１以外には、他によく似たものが見当たらない状況であり、容易に比較できないが、例えば、従来の球形ボ−ルの単純な転がりではなく、おにぎり形状若しくは栗の実形状にしたことによって生ずる多様な転がり方に焦点を当て、そこから得点の仕方を考え、ワンバウンドでの得点を桁外れに高くすることによって、競技の面白さを更に昂揚させることを求めた。
【０００５】
本発明が解決しようとしたところは、前もって予測できる程度に解った球形ボ−ルの行方を追うのではなく、前もって解らない転がりの不規則性に焦点を当て、そこに競技の面白さの鍵を持って行く新しい視点の導入である。
【課題を解決するための手段】
【０００６】
本発明は、前述の課題解決のために、第一に、外殻形状をおにぎり、若しくは栗の実態様の三角形状に構成し、三角形状頂部の反対側に位置する底部に把手挿入用の底口を開口形成したことを特徴とし、投擲具を投げ易くした。
【０００７】
第二に、外殻形状の正面視を、三角形状頂部より左右両側の肩部を緩傾斜状の撫で肩状に形成した二等辺三角形状に構成し、外殻形状の側面視を、三角形状頂部より前後の腹部と背部を急傾斜状の崖面状に形成した二等辺三角形状に構成したことを特徴とし、投げ易くした投擲具の着地後の転がりの多様性を求めた。
【０００８】
第三に、左右両側の肩部と前後の腹部と背部の挟間面の斜面, 又底部とそれ等の挟間面が平坦状の崖面及び扁平面をそれぞれに形成すると共に、これらの左右両側の肩部と前後の腹部と背部の挟間面の斜面、又底部とそれ等の挟間面が交差する稜線部分を曲面形成したことを特徴とし、投擲具の着地後の転がりの多様性を更に高めた。
【０００９】
第四に、投擲具の内部を空洞にしたことを特徴とし、投擲具の重量を軽減して投げ易くすると共に各構成面の稜線部分を曲面形成したことで転がりやすくした。
【００１０】
第五に、プラスチック等の合成樹脂で形成することを特徴とし、加工を容易にして投擲具の重量を更に軽減して例えば１５０ｇに定め投げ易くすることができた。
【００１１】
第六に、二重壁構成の空間を持たせることによって投擲具につきものの壊れの確立を低減でき、競技の進行上からもプラスとなせることができた。
【発明の効果】
【００１２】
請求項１の発明によれば、従来の球形ボ−ルのあらかじめわかったボ−ルの転がりの行方ではなく、転がりの不規則性から生ずる不確実性の創出と娯楽性が具現できる。そして、底口の構成により従来の握るという手段を、つかむという把持手段に変換し、より投げ易くして投擲性のコントロール性を楽しむことができる。
【００１３】
請求項２の発明によれば、投擲具の転がりの不確実さ、不規則性に競技の焦点を当て更にその構造にその期待を持たせたものである。これにより更に多様な転がりの方向が期待できて新しい競技のあり方を提供するものである。
【００１４】
請求項３の発明によれば、崖面及び扁平面と斜面を取り巻く肩、腹、背、底部の稜線部分の曲面により、更に円滑な転がりの方向性の現出が期待できる。
【００１５】
請求項４の発明によれば、空洞にすることで軽量に構成でき、投擲具を遠方まで軽快に投擲できるものである。
【００１６】
請求項５の発明によれば、樹脂成形により加工性と品質の均一性を向上できスポーツ競技としての公平性が保持できるものである。
【００１７】
請求項６の発明によれば、二重壁構成の樹脂成形した空間をもたせることにより、投擲具の弾力を創出しより多様な転がりの方向性の増大に寄与し、スポ−ツ競技としての興味を新しい競技のあり方として提示するものである。
【発明を実施するための最良の形態】
【００１８】
以下、本発明の実施形態を図面に基づき説明する。符号１は外殻形状をおにぎり、若しくは栗の実態様の三角形状に構成した本発明の投擲具を示す。該投擲具１の三角形状頂部２の反対側に位置する底部３に把手挿入用の底口４が開口形成されている。
【００１９】
そして、外殻形状の正面視は、三角形状頂部２より左右両側の肩部５、６を緩傾斜状の撫で肩状に形成した二等辺三角形状に構成されている。また、外殻形状の側面視は、三角形状頂部２より前後の腹部７と背部８とが急傾斜状の崖面状に形成した二等辺三角形状に構成されている。上記の左右両側の肩部５、６と前後の腹部７と背部８及び底部３の其々の間に、平坦状の斜面５Ａ、６Ａ、７Ａ、８Ａ、崖面３Ａ、３Ｂ、３Ｃ、３Ｄ、３Ｅ、３Ｆ、３Ｇ、３Ｈ、がそれぞれに形成されている。また、これらの左右両側の肩部５、６と前後の腹部７と背部８及びそれ等の挟間面となる斜面５Ａ、６Ａ、７Ａ、８Ａと崖面３Ｆ、３Ｅ、３Ｇ、３Ｈとの挟間扁平面１１、１２、１４、１３、又１１、１２の挟間面１１Ａから図に従って順に回り、それぞれ１２Ａ、１３Ａ、１４Ａと底部３等が交差する稜線部分を角張らないように曲面形成しておくと、各面の交差する稜線に丸みを持たせることができ、更に転がりにスム−ズさを持たせることができる。
【００２０】
更に、投擲具１の内部を空洞９にして、且つ二重壁構成の空間１０を有する外殻形状に構成されている。空洞９を形成することで投擲具１の重量を軽減し、二重壁構成の空間１０を有する外殻形状に構成することで投擲具１の強度を高めて、投擲具１が着地してバウンドしたときでも塑性変形しないように長年月の使用に耐える配慮にされている。投擲具の材質は、木材、金属、樹脂等、特に拘らないものの、プラスチック等の合成樹脂で形成したときには、金型から生産されることにより、本投擲具の加工の容易さと品質の均一化等、量産効果が期待できて、一定品質の投擲具１を供給できスポーツ競技の公平性に寄与でき、それに関わる新産業を生み出し市民の娯楽を提供する。
例えば、本投擲具１の重量を１５０ｇに定め投げ易くし、プラスチック製として本投擲具１にある程度の弾力性を持たせる。そして投擲具１が着地後にバウンドした時の弾みを創出する。また、本投擲具１のプラスチックを二重壁構成の空間１０を有する外殻形状に構成することで強度を高めると共に、投擲具１が着地してバウンドしたときの弾みを最良の形で引き出すことが可能になる。
【００２１】
図７は本投擲具を用いた投擲姿勢説明図であるが、本投擲具１の使い方は、図６に示すように親指を除く４本指を底口４に挿入した投げ方にすると投げ易い。投擲具を投げるフォ−ムは、上手・横手・下手のどの方角からでもその投げ方についてはそれを定めない。競技者１５が投擲具円１７の投擲具線２０の前からゴ−ル１６に向かって投げる。この投擲具の最大の特徴であるおにぎり、又栗の実形状を活かしたそれがゴ−ルしたときの得点は図９に示した得点表図の通りである。
【００２２】
図８はこの競技の応用競技場の説明図である。本案投擲具１(ネグログチとして示す)の他に把手付円盤、棒、の２種類の投擲具を加え、その応用競技を示した。この競技を解り易く説明するため要約してみると、割円線３３で３４(Ｂゾ−ン)３５(Ａゾ−ン)に２分割された応用競技場を作り、其々の対極に１６、２４のゴ−ル・競技者控え室を設け、図８に示した２７(主審)２８(副審)等を配置し、２６の時計係りの合図で２４の競技者控え室の競技者が其々一人ずつ２１から２３の投擲具を目掛けて競技場に走り出る。そして其々に２５の棒絵係りに指示された投擲具をつかんで、其々定められた投擲位置から１６のゴ−ル目掛けて素早く投げ入れ、その得点の多さを競う競技である。このように競技者の走力・投力を競うと共に、図１０に示した通り格闘技性も加味した、競技者間の総合力を争う競技である。格闘技性が出てくるのは図１０の１番目に示した通り、２６のＡ、Ｂが同じ投擲具を合図したときである。
【００２３】
図９は其々の投擲具のゴ−ルの仕方とその得点を示した。
【００２４】
図１０は時計係り２６のＡに持たせる表図とＢに持たせる表図を示したものである。１番目を見るとそれから生まれる格闘技の可能性のあることが解る。ネはネグログチ、ボは棒、円は把手付円盤の略である。
【００２５】
誰でもが競技を可能であることにし、底口の幅の大きさには柔軟性を持たせる。尚、本特許出願人はこの投擲具に技術上の愛着を持ってもらうため、黒人の口に似た感じがあるところからネグログチとも呼ぶことにしている。  
【産業上の利用可能性】
【００２６】
この投擲具の最大の特徴であるおにぎり型から生ずる、その転がりの不規則性・不確実性、又底口を設けたための投げ易さ。この投擲具の持つ転がりの不規則性・不確実性に競技の面白さを集約した、競技の新奇性。さらにその不規則性・不確実性を修正しようとする各競技者の、投擲具を投げる為の技術。競技の得点の仕方における新しい視点の導入。又、技術面を離れた競技者・愛好者の健康・体力の増進・維持。この競技を巡る娯楽産業・製造産業の創出が大きな目標である。補填すると、ゴ−ルの開口の幅は可変的なものであるとしておく。
この投擲具を組み込んだ競技をつくることによって娯楽が生まれ、産業が生まれ、又この競技を観るという、観客を動員することによって生じる娯楽産業、この投擲具を作る製造産業の創出がこの競技の主たる産業上の利用可能性である。    
【図面の簡単な説明】
【００２７】
【図１】本発明の実施形態を示すもので、投擲具の正面図である。
【図２】同上投擲具の裏面図である。
【図３】同上投擲具の底面図である。
【図４】同上投擲具の側面図である。
【図５】同上投擲具の側断面図である。
【図６】親指以外の指を底口に挿着した投擲状態の斜視図である。
【図７】本発明投擲具を用いた投擲姿勢説明図である。
【図８】本発明投擲具を用いた応用競技場説明図である。
【図９】本発明投擲具を用いた応用競技の得点図である。
【図１０】本発明投擲具を用いた応用競技の時計係りにもたせる或る競技会の例え図である。
【符号の説明】
【００２８】
１  投擲具本体
２  頂部
３  底部
４  底口
５  左肩
６  右肩
７  腹
８  背
９  空洞
１０  二重壁空間
１１  ５Ａ・３Ｆ間扁平面
１２  ６Ａ・３Ｅ間扁平面
１４  ７Ａ・３Ｇ間扁平面
１３  ８Ａ・３Ｈ間扁平面
５Ａ  背肩間前左斜面
６Ａ  背肩間前右斜面
８Ａ  腹肩間後ろ右斜面
７Ａ  腹肩間後ろ左斜面
３Ａ  底部前崖面
３Ｂ  底部右崖面
３Ｃ  底部後ろ崖面
３Ｄ  底部左崖面
３Ｆ  底部・１１間崖面
３Ｅ  底部・１２間崖面
３Ｈ  底部・１３間崖面
３Ｇ  底部・１４間崖面
１１Ａ  背・３Ａ間扁平面
１２Ａ  右肩・３Ｂ間扁平面
１３Ａ  腹・３Ｃ間扁平面
１４Ａ  左肩・３Ｄ間扁平面
１５    競技者
１６    ゴ−ル
１７    投擲具円
１８    応用競技場
１９    ゴ−ル線
２０    投擲具線
２１    投擲具設置円
２１Ａ  ネグログチ
２２    把手付円盤      別途投擲具
２３    棒              別途投擲具
２４    競技者控え室
２４Ａ  控え線
２５    棒絵・棒絵係り
２６    時計係り
２７    主審
２８    副審
２９    投擲具係り
３０    得点標示板・得点標示係り
３１    得点係り
３２    競技者退場口
３３    割円線
３４    Ｂゾ−ン
３５    Ａゾ−ン
【図１】
2005218627.tif 000003
【図２】
2005218627.tif 000004
【図３】
2005218627.tif 000005
【図４】
2005218627.tif 000006
【図５】
2005218627.tif 000007
【図６】
2005218627.tif 000008
【図７】
2005218627.tif 000009
【図８】
2005218627.tif 000010
【図９】
2005218627.tif 000011
【図１０】
2005218627.tif 000012